(57)【特許請求の範囲】
【請求項１】
吸込み風路と、給気風路と、前記給気風路の内部下流に上下に給気を偏向する上下偏向手段とを設け、前記給気風路の底面の全幅にわたって滑らかに前記給気風路を拡大して前記上下偏向手段により偏向された気流と前記給気風路の最下流部との間に負圧域を形成するような曲面に形成され、給気風路の上流面と接して滑らかな風路面を形成する給気風路の最下流の底面断面形状が円弧の一部であり、前記円弧の中心は前記上下偏向手段の上流側の各端部を結んだ延長直線上にあり、前記上下偏向手段の下流側端面は前記給気風路の上流側風路面と平行位置において前記円弧の４分の１円の下流側面の接線上あるいは前記接線よりも下流側に配し前記円弧の半径ｒは上下偏向手段のピッチＰと等しくし、出口端部の曲面の下流側に風路の全幅にわたって平面状の凸部を設け、前記凸部の高さによって剥離の度合いを調節して給気気流の最大偏流角度を調節することを特徴とする浴室暖房換気乾燥ユニット用給排気グリル。
【請求項２】
吸込み風路と、給気風路と、前記給気風路の内部下流に上下に給気を偏向する上下偏向手段を備え、給気温度を検知し前記上下偏向手段を駆動する駆動手段を設け、前記駆動手段により給気温度を検知して給気温度が常温であれば、給気を浴室の壁に沿わせるような給気方向になるように前記上下偏向手段を駆動することを特徴とする浴室暖房換気乾燥ユニット用給排気グリル。
【請求項３】
上下偏向手段を駆動する駆動手段と換気および浴室乾燥モードあるいは衣類乾燥モードの各モードにあわせた吹出し角度に上下偏向手段を制御する制御手段を設けた請求項１または２記載の浴室暖房換気乾燥ユニット用給排気グリル。
【発明の詳細な説明】
【０００１】
【発明の属する技術分野】
本発明は、浴室の暖房、換気および乾燥と洗濯物の乾燥に使用される浴室暖房換気乾燥ユニット用給排気グリルに関する。
【０００２】
【従来の技術】
従来、この種の浴室暖房換気乾燥ユニット用給排気グリルは、図１３および１４に示す構成が一般的であった。
【０００３】
以下、その浴室暖房換気乾燥ユニット用給排気グリルについて、図を参照しながら説明する。
【０００４】
図に示すように、浴室暖房換気乾燥ユニット用給排気グリルの給排気グリル１０１は貫通穴を設けた浴室１０２の壁に設置されるものであり、吸込み風路１０３と、この吸込み風路１０３の下部に給気風路１０４とが設けられ、給気風路１０４の内部下流に上下に給気を偏向する上下ルーバー１０５と、給気風路１０４内の上下ルーバー１０５の上流に左右に給気を偏向する左右ルーバー１０６を設けている。屋外に設置した浴室暖房換気乾燥ユニット(図示せず)から給気された空気は、給気風路１０４を通過し、左右ルーバー１０６および上下ルーバー１０５により偏向されて浴室１０２に吹出している。
【０００５】
【発明が解決しようとする課題】
このような従来の浴室暖房換気乾燥ユニット用給排気グリルでは、運転モード毎に最適な給気方向、特に暖房時に床面まで暖気を到達させるようにルーバーを下方設定すると気流の方向が急激に屈曲されて、圧力損失が高まるという課題があり、給気方向を偏向することによる圧力損失の上昇を抑制することが要求されている。
【０００６】
また、給気気流は最大偏流角度を超えると、デジタル的に付着面に沿った流れになるため、最大偏流角度から付着状態になるまでの角度の調節ができないという課題があり、給気気流の最大偏流角度を調節することが要求されている。
【０００７】
また、浴室暖房換気乾燥ユニットは使用目的によって運転モードが変更されるが、換気モード時には入浴者に気流感を与えない給気方向を自動的に得られないという課題があり、換気モード時に給気温度の検知により自動的に入浴者に気流感を与えない給気方向を得ることが要求されている。
【０００８】
また、運転モードが変更されても給気方向が自動的に変更されないため、暖房運転時に給気方向が上向きとなり、浴室の上部のみが暖まり、人のいる所はなかなか暖まらないという課題があり、各モードに適した給気方向を自動的に得ることが要求される。
【０００９】
また、左右偏向手段の設置位置が自動で設定されないという課題があり、左右の壁までの距離に応じて左右偏向手段の設置位置が自動で設定されることが要求される。
【００１０】
また、衣類乾燥モードでは乾燥時間が長いという課題があり、乾燥時間を短縮することができる浴室暖房換気乾燥ユニット用給排気グリルを提供することを目的としている。
【００１１】
【課題を解決するための手段】
本発明の浴室暖房換気乾燥ユニット用給排気グリルは上記目的を達成するために、吸込み風路と、給気風路と、前記給気風路の内部下流に上下に給気を偏向する上下偏向手段とを設け、前記給気風路の上流面と接して滑らかな風路面を形成する前記給気風路の最下流の底面断面形状が円弧の一部であり、前記円弧の中心は前記上下偏向手段の上流側の各端部を結んだ延長直線上にあり、前記上下偏向手段の下流側端面は前記給気風路の上流側風路面と平行位置において前記円弧の４分の１円の下流側面の接線上あるいは前記接線よりも下流側に配し、前記円弧の半径ｒは上下偏向手段のピッチＰと等しくし、出口端部の曲面の下流側に風路の全幅にわたって平面状の凸部を設け、前記凸部の高さによって剥離の度合いを調節して給気気流の最大偏流角度を調節することを特徴とする浴室暖房換気乾燥ユニット用給排気グリル。
【００１２】
本発明によれば、給気方向を偏向することによる圧力損失の上昇を抑制し、給気気流の
最大偏流角度を調節することができる浴室暖房換気乾燥ユニット用給排気グリルが得られる。
【００１３】
また、他の手段は、給気温度を検知し上下偏向手段を駆動する駆動手段を設けたものである。
【００１４】
そして、本発明によれば、換気モード時に入浴者に気流感を与えない給気方向を給気温度の検知により自動的に得ることができる浴室暖房換気乾燥ユニット用給排気グリルが得られる。
【００１５】
また、他の手段は、上下偏向手段を駆動する駆動手段と上下偏向手段設置角度を換気および浴室乾燥モードあるいは衣類乾燥モードの各モードに適した吹出し角度に制御する制御手段を設けたものである。
【００１６】
そして、本発明によれば、各モードに適した給気方向を自動的に得ることができる浴室暖房換気乾燥ユニット用給排気グリルが得られる。
【００１７】
【発明の実施の形態】
本発明は、吸込み風路と、給気風路と、前記給気風路の内部下流に上下に給気を偏向する上下偏向手段とを設け、前記給気風路の上流面と接して滑らかな風路面を形成する前記給気風路の最下流の底面断面形状が円弧の一部であり、前記円弧の中心は前記上下偏向手段の上流側の各端部を結んだ延長直線上にあり、前記上下偏向手段の下流側端面は前記給気風路の上流側風路面と平行位置において前記円弧の４分の１円の下流側面の接線上あるいは前記接線よりも下流側に配し、前記円弧の半径ｒは上下偏向手段のピッチＰと等しくし、出口端部の曲面の下流側に風路の全幅にわたって平面状の凸部を設けたものであり、偏向装置をトリガーにして給気風路の最下流部に負圧域を形成してコアンダ効果により偏向するため、偏向装置による急激な気流の屈曲が抑制されて圧力損失の上昇を抑制するという作用を有し、給気出口の段差により給気気流の剥離が生じ、前記凸部の高さによって剥離の度合いを調節して給気気流の最大偏流角度を調節することができるという作用を有する。
【００１８】
また、給気温度を検知し上下偏向手段を駆動する駆動手段を設けたものであり、給気温度を検知して給気温度が常温であれば、給気を壁に沿わせるような給気方向になるように上下偏向手段を駆動して偏向することにより、入浴者に気流感を与えない給気方向を自動的に得ることができる。
【００１９】
また、上下偏向手段を駆動する駆動手段と上下偏向手段設置角度を各モードに適した角度に制御する制御手段を設けたものであり、運転モードにあわせた吹出し角度、すなわち、換気および浴室乾燥モードでは浴室の壁を流れるような角度に、衣類乾燥モードでは水平に吹出すような角度に上下偏向手段を制御手段により制御された駆動手段により駆動することができる。
【００２０】
以下、本発明の実施例について図面を参照しながら説明する。なお、従来例と同一のものは同一番号を付し詳細な説明を省略する。
【００２１】
【実施例】
（参考例１）
図１および図２に示すように、給気風路１０４の上流側と滑らかにつながっている給気風路１０４の最下流の底面１は、断面形状が円弧の一部である円弧面２と、開口が滑らかに拡大するような付着面３を形成している。円弧面２の断面の円弧中心は上下ルーバー１０５の上流側の端部を結んだ直線上にあり、円弧面２の円弧半径ｒは上下ルーバーのピッチＰと等しいことを特徴とする。
【００２２】
上記構成において、上下ルーバー１０５により下方に偏向した空気は、底面１の円弧面２を通過する。給気気流５は給気風路１０４の最下流部に存する付着面３との間に負圧域４を生じる。給気気流５は負圧域４により付着面３に引き付けられること（コアンダ効果）によりさらに下方へ偏向するため、上下ルーバー１０５の下方への回転移動量を少なくすることができ、すなわち、上下ルーバー１０５による急激な気流の屈曲を抑えることができるので、圧力損失の上昇を抑制することができる。
【００２３】
なお、参考例では左右ルーバーを上下ルーバーの上流に配置したが、左右ルーバーを上下ルーバーの下流に設置しても良く、その作用効果に差異を生じない。
【００２４】
また、上下ルーバーと左右ルーバーとを設けたが、上下ルーバーのみを設置しても、その作用効果に差異を生じない。
【００２５】
また、偏向手段に平板ルーバーを用いたが、平板に代えて翼、円弧、楕円の一部などの断面形状を持つルーバーであっても偏向可能であれば良く、その作用効果に差異を生じない。
【００２６】
また、曲面の断面形状に円弧の一部を使用したが、上下ルーバーにより偏向された給気気流と給気風路の最下流部との間に負圧域を形成する形状であればよく、たとえば楕円弧の一部や放物線の一部などを用いても良い。
【００２７】
（実施例１）
図３に示すように、出口端部に形成された付着面３の下流側に平面状の凸部６を設けている。
【００２８】
上記構成において、給気気流５は凸部６の端面である段差７に衝突して底面１から剥離し、一方、給気気流５は給気風路１０４の最下流部に存する付着面３との間に負圧域４を生じ、給気気流５は負圧域４により付着面３に引き付けられる。給気気流５は剥離を生じているために剥離を生じさせない時よりも負圧域４へ引き付けられにくくなる。そのため、凸部６の高さによって剥離の度合いを調節して給気気流５の最大偏流角度を調節することができる。
【００２９】
（実施例２）
図４に示すように、温度に応じて変形する素材、たとえば形状記憶合金により形成された伸縮装置９は、常温時に伸長し、暖房時の給気のように高温である時に収縮する。伸縮装置９は上下ルーバー１０５と連結されており、給気風路１０４内に設置されている。
【００３０】
上記構成において、換気モードでは給気風路１０４内を通過してきた給気温度は常温であり、伸縮装置９は伸長し、上下ルーバー１０５を下方へ押し下げて上下ルーバー１０５が下方へ向くことになり、給気は下方に向かって吹出される。吹出した空気は浴室暖房換気乾燥ユニット用給排気グリル１０１の表面下部に付着し、さらに浴室暖房換気乾燥ユニット用給排気グリル１０１を取付けた壁に付着して流れるようになる。
【００３１】
なお、本実施例では伸縮装置に形状記憶合金を用いたが、他の素材でも温度に応じて変形すれば良く、その作用効果に差異を生じない。
【００３２】
（実施例３）
図５および６に示すように、上下ルーバー１０５は上下ルーバーモーター１０および上下コントローラ１１とに連結されている。
【００３３】
上記構成において、暖房モードでは効率よく暖房するには斜め下向きに吹出すような角度にするとよいことはよく知られており、斜め下向きに吹出すように上下ルーバー１０５をあらかじめ実験で求めた設定角度に上下コントローラ１１により制御された上下ルーバーモーター１０により駆動する。上下ルーバー１０５の設置角度に対する給気気流５の関係の一例を図７に示す。また、同様に、換気および浴室乾燥モードでは浴室の壁を流れるような角度に、衣類乾燥モードでは水平に吹出すような角度に上下ルーバー１０５を上下コントローラ１１と上下ルーバーモーター１０により制御し駆動することができる。
【００３４】
（参考例２）
図８および９に示すように、左の壁までの距離を検知する距離センサ１３ａと右の壁までの距離を検知する距離センサ１３ｂとを浴室暖房換気乾燥ユニット用給排気グリル１０１の外枠に設け、左右ルーバー１０６を駆動する左右ルーバーモーター１４と距離センサ１３ａ、１３ｂの検知信号から左右の距離を演算し左右ルーバーモーター１４を制御する左右コントローラ１５を設けている。
【００３５】
上記構成において、距離センサ１３ａの検知信号と距離センサ１３ｂの検知信号は左右コントローラ１５にて距離Ａ、Ｂを演算比較して、距離Ａが大きい場合は、距離センサ１３ｂの設置してある側の斜め前方へ吹出すように左右ルーバーモーター１４を駆動して左右ルーバー１０６の設置位置を調整する。逆に、距離Ｂが大きい場合は、距離センサ１３ｂの設置してある側の斜め前方へ吹出すように左右ルーバーモーター１４を駆動して左右ルーバー１０６の設置位置を調整する。
【００３６】
（参考例３）
図１０および１１に示すように、上下ルーバー１０５をスウィング駆動するスウィング駆動装置１６を設けたものである。
【００３７】
上記構成により、上下ルーバー１０５はスウィング駆動装置１６により給気方向をスウィングさせて給気されることになる。図１２に示すように、洗濯物の水分量は、洗濯物の近傍風速が高いほど減少速度が速くなる。したがって、洗濯物の乾燥時間は洗濯物に気流が充分当たると短縮できることから、一方向にしか吹出さない時に比べてスウィング吹出しとした方が洗濯物にまんべんなく気流があたり、乾燥時間を短縮することができる。
【００３８】
なお、参考例では、上下ルーバーをスウィング駆動装置によりスウィングさせたが、左右ルーバーをスウィング駆動装置によりスウィングさせてもよく、その作用効果に差異を生じない。
【００３９】
【発明の効果】
以上の実施例から明らかなように、本発明によれば、給気方向を偏向することによる圧力損失の上昇を抑制することができ、また、給気気流の最大偏流角度を調節することができるという効果のある浴室暖房換気乾燥ユニット用給排気グリルを提供できる。
【００４０】
また、給気温度の検知により自動的に入浴者に気流感を与えない給気方向を得ることができる効果のある浴室暖房換気乾燥ユニット用給排気グリルを提供できる。
【００４１】
また、換気および浴室乾燥モードあるいは衣類乾燥モードの各モードに適した給気方向を自動的に得ることができる効果のある浴室暖房換気乾燥ユニット用給排気グリルを提供できる。
【図面の簡単な説明】
【図１】  本発明の参考例１の浴室暖房換気乾燥ユニット用給排気グリルの斜視図
【図２】  同浴室暖房換気乾燥ユニット用給排気グリル取付け略断面図
【図３】  本発明の実施例１の浴室暖房換気乾燥ユニット用給排気グリル取付け略垂直断面図
【図４】  同実施例２の浴室暖房換気乾燥ユニット用給排気グリル取付け略垂直断面図
【図５】  同実施例３の浴室暖房換気乾燥ユニット用給排気グリル取付け略水平断面図
【図６】  同浴室暖房換気乾燥ユニット用給排気グリル取付け略垂直断面図
【図７】  同ルーバー設置角度と吹出し角度との関係図
【図８】  本発明の参考例２の浴室暖房換気乾燥ユニット用給排気グリル取付け図
【図９】  同浴室暖房換気乾燥ユニット用給排気グリル取付け略水平断面図
【図１０】  同参考例３の浴室暖房換気乾燥ユニット用給排気グリル取付け略水平断面図
【図１１】  同浴室暖房換気乾燥ユニット用給排気グリル取付け略垂直断面図
【図１２】  洗濯物近傍の風速と洗濯物水分量の変化の関係図
【図１３】  従来の浴室暖房換気乾燥ユニット用給排気グリル取付け図
【図１４】  同浴室暖房換気乾燥ユニット用給排気グリル取付け略垂直断面図
【符号の説明】
１ 底面
３ 付着面
６ 凸部
９ 伸縮装置
１０ 上下ルーバーモーター
１１ 上下コントローラ
１３ａ、１３ｂ 距離センサ
１４ 左右ルーバーモーター
１５ 左右コントローラ
１６ スウィング駆動装置
１０１ 浴室用暖房換気乾燥ユニット用給排気グリル
１０３ 吸込み風路
１０４ 給気風路
１０５ 上下ルーバー
１０６ 左右ルーバー
【図１】
0003677388.tif 000002
【図２】
0003677388.tif 000003
【図３】
0003677388.tif 000004
【図４】
0003677388.tif 000005
【図５】
0003677388.tif 000006
【図６】
0003677388.tif 000007
【図７】
0003677388.tif 000008
【図８】
0003677388.tif 000009
【図９】
0003677388.tif 000010
【図１０】
0003677388.tif 000011
【図１１】
0003677388.tif 000012
【図１２】
0003677388.tif 000013
【図１３】
0003677388.tif 000014
【図１４】
0003677388.tif 000015